(57)【要約】      （修正有）【課題】真空の環境下において、フルーツジュース／食物の高速撹拌を行うことができ、高速撹拌時に大量の気泡が発生するのを防止し、豊富な繊維を含む滑らかな健康飲料を製造するフルーツジュース／食物高速ミキサーを提供する。【解決手段】ミキサー、三方管、切替弁および真空ポンプを含む。ミキサーは三方管を介して切替弁および真空ポンプとそれぞれ接続される。【選択図】図１
0003175828.tif 000002
【実用新案登録請求の範囲】
【請求項１】
ミキサー、三方管、切替弁および真空ポンプを含み、前記ミキサーが三方管を介して切替弁および真空ポンプとそれぞれ接続される、フルーツジュース／食物高速ミキサー。
【請求項２】
前記ミキサーがミキサードラムを含み、該ミキサードラムに密封蓋が設けられ、該密封蓋に真空スロートが設けられ、該真空スロートが三方管を介して切替弁および真空ポンプとそれぞれ接続される、請求項１に記載のフルーツジュース／食物高速ミキサー。
【請求項３】
前記切替弁に、さらに圧力計が接続される、請求項１または２に記載のフルーツジュース／食物高速ミキサー。
【請求項４】
前記三方管および真空ポンプの間に管継手が設けられ、該三方管が管継手と接続してから真空ポンプと接続される、請求項１または２に記載のフルーツジュース／食物高速ミキサー。
【考案の詳細な説明】
【技術分野】
【０００１】
本考案はミキサーに関し、特にフルーツジュース／食物高速ミキサーに関する。
【背景技術】
【０００２】
最近、健康的な食生活が重視されており、さらに異なる食物汚染の問題によって極めて高い関心を集めることとなっている。最も経済的で安全に栄養（繊維）を吸収する方法は、毎日野菜・果物を食べることである。高速自動ミキサーは、野菜、果物の皮、種などを粉砕すること、およびフルーツジュース、水を混合して飲みやすくすることが可能である。残念ながら、現在の高速ミキサーでは、微細な気泡が多く発生してフルーツジュースの体積が１．５倍まで増加することがあり、フィルターで気泡を除く必要がある。しかし、同時に大量の有益な繊維も除かれる。その上、撹拌過程において、野菜・果物と空気が接触して酸化するため、野菜・果物の成分が変化し、有効成分が破壊されることすらあり、したがって、野菜・果物の、人体への栄養補助効果が大幅に低下する。野菜・果物の撹拌時の酸化を防止するため、気泡の発生を防止し、有益な繊維を大量に保存することは、健康飲料装置として、本考案で解決する必要がある主要な問題である。
【考案の概要】
【考案が解決しようとする課題】
【０００３】
本考案で解決する必要がある技術的問題は、上述の既存技術における不足に対して、撹拌時に気泡が発生しないフルーツジュース／食物高速ミキサーを提供することである。
【課題を解決するための手段】
【０００４】
上記の技術的問題を解決するため、本考案の技術案として、フルーツジュース／食物高速ミキサーは、ミキサー、三方管、切替弁および真空ポンプを含み、前記ミキサーは、三方管を介して切替弁および真空ポンプとそれぞれ接続される。
【０００５】
前記ミキサーはミキサードラムを含み、該ミキサードラムに密封蓋が設けられる。該密封蓋に真空スロートが設けられ、該真空スロートは三方管を介して切替弁および真空ポンプとそれぞれ接続される。
【０００６】
さらに、前記切替弁は、圧力計とさらに接続される。
【０００７】
さらに、前記三方管および真空ポンプの間に管継手が設けられ、該三方管は管継手と接続してから、真空ポンプと接続される。
【考案の効果】
【０００８】
本考案が有する有益な効果は、次の通りである。本考案のミキサーは、三方管を介して切替弁および真空ポンプとそれぞれ接続される。したがって、本考案は真空環境下において、フルーツジュース／食物の高速撹拌を行うことができ、高速撹拌時に発生する大量の気泡を防止し、豊富な繊維を含む滑らかな健康飲料を製造する。さらに、高速下で、食物／フルーツジュースが発熱することによる、空気酸化を低減させる利点を有する。現在の一般的な高速ミキサーと比較して、効果は非常に顕著である。
【図面の簡単な説明】
【０００９】
【図１】図１は、本考案のミキサーの概要図である。
【考案を実施するための形態】
【００１０】
以下に、添付図を組み合わせて、本考案についてさらに説明を行う。
【実施例】
【００１１】
本考案は、家庭用真空野菜・果物ミキサーに属し、ミキサー１、切替弁３、真空ポンプ４などで構成される。ミキサー１は、台座１１、ミキサードラム１２、蓋１３で構成される。台座１１は操作パネル１１１を有し、蓋１３は真空スロート１４を有する。真空スロート１４は真空チューブ５を介して三方管２と接続され、切替弁３は真空チューブ５を介して三方管２と接続される。真空ポンプ４は管継手７、およびそれぞれ真空チューブ５とを介して三方管２と接続される。切替弁３は、さらに圧力計６と接続される。
【００１２】
本考案は、既存のミキサーの改善であり、切替弁、真空ポンプは既存技術である。切替弁および真空ポンプは、ミキサーと外部接続してもよく、ミキサー内に設置してもよい。
【００１３】
本考案の操作方法の工程を以下に示す。
電源を接続する−＞ミキサーカップを密封し、真空スロートを接続する−＞スタートボタンを押す−＞システムによってミキサーカップ内の気圧の測定が開始される−＞真空ポンプが作動し始める−＞カップ内の気圧が３００ｍｂａｒより低くなる−＞撹拌プロセスが開始される−＞撹拌プロセスが終了し、真空ポンプが作動を停止する−＞吸気弁が開く−＞撹拌プロセスが終了する。
【００１４】
本考案は真空技術を採用し、高速撹拌時のミキサーカップ内の空気含量を制御する。真空度は、３００マイクロｂａｒ．（安全で経済的なレベル）より高くならないように制御する。言い換えると、この真空度は、気泡の混入量および空気中の酸素によって起こり得る酸化の程度を制御するものである。
【００１５】
機器が作動し始めるとき、ミキサーカップ内の気圧が設定値に達しているかどうかの測定が開始される。達していない場合、信号によって真空ポンプが作動し始め、設定気圧（３００ｍｂａｒ）に達するまで続き、その後ミキサーが起動する。撹拌プロセスが完了するとき、信号によって真空ポンプを切ることができ、それと同時に空気弁が開き始め、ミキサーカップ内に空気が戻り、カップの蓋が開けやすくなる。
【００１６】
装置条件
ａ．高速ミキサー２８０００回転以上
ｂ．密封型空気ミキサーカップ（真空にすることができる）
ｃ．真空スロートを取り替え、ミキサーカップに接続する
ｄ．小型真空ポンプ（真空度を気圧３００ｍｂａｒより低くすることができる）
【００１７】
電気設備の条件
ａ．電源供給ＡＣ１１０／２２０Ｖ
ｂ．圧力センサおよびプロセス制御器を接続する。
【００１８】
現在の一般的な高速ミキサーの問題
本実験では、３８０００ｒｐｍ型の高速ミキサーを選択した。これにより、野菜・果物の果皮および種子などを粉砕し、フルーツジュース、水などを混合することができる。超高速撹拌であるため、空気がミキサーカッター底部まで引きつけられ、無数の微小な気泡が発生し、フルーツジュース、水と混合される。最終的に、フルーツジュースに大量の気泡が含まれることになり、一般に完成後のフルーツジュースの体積は、１．５倍まで膨張することがある。これらは、リンゴなどの野菜・果物を短時間で酸化し、フルーツジュースの色をすぐに暗褐色に変える（酸化）。大量の気泡がフルーツジュースに混入してしまい、飲用時の不快感を避けるため、他のろ過工程によって、飲用時の不快感を取り除く必要がある。
【００１９】
本考案のパフォーマンスおよび作動過程
真空スロートおよびミキサーカップを接続、取り替えた後、真空装置は、カップ内の気圧が３００ｍｂａｒ以下の真空度に達するまで発動し続け、その後２分半高速撹拌を行う。高速撹拌過程全体において、少量の気泡のみが発生する。撹拌プロセスが終了するとき、真空ポンプは相対して作動を停止し、空気弁が開き、ミキサーカップ内に空気が戻る。
【００２０】
高速（２８０００ｒｐｍ以上）真空フルーツジュースミキサーは、健康的な食生活を行う人が食物繊維を効果的、かつ容易に摂取できるようにし、野菜・果物が好きでない子どもに飲用しやすくすることもできる。極めて少ない気泡が高繊維フルーツジュースに混入しているため、口当たりは滑らかになり、フルーツジュースの酸化程度も低減される。食物、生薬のミキサーとして、真空撹拌の動作環境は、食物の酸化による変質／変色を低下させること、および遅らせることができ、結果として、大部分の栄養または必須成分を保存することができる。
【００２１】
本真空制御装置は、簡単なおよび低価格の機器で構成され、一般家庭でも負担が可能である。本制御装置は、独立した要素および既成のミキサーを簡単に取り替えて使用するか、またはこれを新しく設計したミキサーと組み合わせて組み立てることができる。
【００２２】
注釈
１．密封ミキサーカップは、空気漏れが起こらない撹拌容器を指す。
２．真空スロートは、真空管スロートともいう。
３．システムによってミキサーカップの測定が開始されるシステムは、回路基板およびセンサなどの接続を制御するものを指す。
【符号の説明】
【００２３】
１  ミキサー
１１  台座
１１１  操作パネル
１２  ミキサードラム
１３  蓋
１４  真空スロート
２  三方管
３  切替弁
４  真空ポンプ
５  真空チューブ
６  圧力計
７  管継手
【図１】
0003175828.tif 000003